(57)【要約】【課題】  商品を明るく引き立てることが可能な、ショーケースに適した照明具を提供すること。【解決手段】  ＬＥＤを備えた一つの光源２と、この光源２からの直接光を遮蔽する反射カバー９とを設け、この反射カバー９内に、光源２からの光を反射させ、その反射光を光源２から出る光の方向と反対側に位置する目的のエリアＡ１，Ａ２に導くとともに、当該エリアを集中的に照射する反射面１１，１２，１３，１４，１５，１６を備えた点に特徴を有する。【選択図】  図１
2011171173.tif 000002
【特許請求の範囲】
【請求項１】
ＬＥＤを備えた一つの光源と、この光源からの直接光を遮蔽する反射カバーとを設け、この反射カバー内に、光源からの光を反射させ、その反射光を光源から出る光の方向と反対側に位置する目的のエリアに導くとともに、当該エリアを集中的に照射する反射面を備えた照明具。
【請求項２】
上記反射面は、入射光を上記目的のエリアに向かって反射させる直接反射面と、入射光を上記直接反射面に向かって反射させる間接反射面とからなる請求項１記載の照明具。
【請求項３】
上記カバーは、上記直接反射面を上記光源とは反対側に設けるとともに、この直接反射面の反射光を挟むようにして直接反射面の両側に一対の上記間接反射面を設けた請求項２に記載の照明具。
【請求項４】
上記光源から出る光束を境に、その光源から出る光を互いに反対方向に分光させる一対の反射面を上記反射カバー内に備えた請求項１〜３のいずれか１に記載の照明具。
【請求項５】
上記光源を取付板に設けるとともに、この取付板に固定した上記反射カバーで光源を覆った請求項１〜４のいずれか１に記載の照明具。
【請求項６】
取付板に間隔を保って複数の光源を設け、これら各光源を複数の反射カバーで個別に覆ってなる請求項１〜４のいずれか１に記載の照明具。
【発明の詳細な説明】
【技術分野】
【０００１】
この発明は、商品を陳列するショーケースに用いるのに適した照明具に関する。
【背景技術】
【０００２】
この種のものとして特許文献１に記載された照明具が従来から知られている。この従来の照明具は、ショーケースの前面をむらなく広く照射するためのものであり、図８に示す構成をしている。図８は、ショーケースの上方から見た図であり、従来の照明具は、ショーケースのドアが、閉じたときに接触する柱１の裏側に取り付けたＬＥＤの光源２と、この光源２からの光の出射方向前方を覆う、断面形状が弧状の反射部材３とで構成されている。そして、光源２からの光が上記柱１の裏側に対応する位置だけに集中的に照射されることがないように、光源２から出る光を上記反射部材３で反射させて広げるようにしたものである。
【先行技術文献】
【特許文献】
【０００３】
【特許文献１】特開２００９−２７９１３４号公報
【発明の概要】
【発明が解決しようとする課題】
【０００４】
上記従来の照明具では、ＬＥＤの光源２からの光の放射方向前方に、商品を陳列する棚４を設け、この棚４と光源２との間に弧状の反射部材３を設けている。そして、上記光源２は、反射部材３の奥の方に設けている。
そのため、光源２から発射された光は反射部材３によって完全に遮断され、直接、反射部材３の外へ放射されることはない。光源２から出た光は反射部材３で反射してから反射部材３の外へ放射される。
しかし、上記弧状の反射部材３の凹面に反射した反射光は、上記反射部材３の開口端に沿ったレベルＬ１（図８参照）より光源側に向かうはずである。すなわち、反射部材３の反射光は、上記レベルＬ１より光源２側、すなわち図示しないドア側へ向かい、レベルＬ１より棚４側にはほとんど散乱光しか届かない。そのため、この照明具は、棚４の前面を全体的にうっすらと明るくすることはできるが、棚４に陳列した商品に光を当てて明るく照らすことはできない。
【０００５】
そもそも、ショーケースは、その棚に陳列された商品が消費者の目について、消費者の購買意欲を掻き立てるように陳列することが重要で有る。そのためには、特に、売りたい商品に光を当ててそれを引き立たせ、消費者の目につきやすいようにする必要がある。
しかし、上記従来の照明具では商品の位置まで光がほとんど届かないので、商品を明かるく照らして消費者の目につきやすいようにすることができなかった。
この発明の目的は、陳列棚の商品を明るく照らして、商品を引き立てることができるショーケースに適した照明具を提供することである。
【課題を解決するための手段】
【０００６】
第１の発明は、ＬＥＤを備えた一つの光源と、この光源からの直接光を遮蔽する反射カバーとを設け、この反射カバー内に、光源からの光を反射させ、その反射光を光源から出る光の方向と反対側に位置する目的のエリアに導くとともに、当該エリアを集中的に照射する反射面を備えた点に特徴を有する。
【０００７】
第２の発明は、上記反射面が、入射光を上記目的のエリアに向かって反射させる直接反射面と、入射光を上記直接反射面に向かって反射させる間接反射面とからなる点に特徴を有する。
【０００８】
第３の発明は、上記カバーが、上記直接反射面を上記光源とは反対側に設けるとともに、この直接反射面の反射光を挟むようにして直接反射面の両側に一対の上記間接反射面を設けた点に特徴を有する。
【０００９】
第４の発明は、上記光源から出る光束を境に、その光源から出る光を互いに反対方向に分光させる一対の反射面を上記反射カバー内に備えた点に特徴を有する。
なお、上記光源から出る光を互いに反対方向に分光させるとは、分光した光の方向が１８０度あるいはほぼ１８０度ずれているものだけをいうのではなく、一方の反射面だけでは光を導くことができない方向へ、他方の反射面によって光を導くことを含むものとする。
【００１０】
第５の発明は、上記第１〜第４の発明を前提とし、上記光源を取付板に設けるとともに、この取付板に固定した上記反射カバーで光源を覆った点に特徴を有する。
第６の発明は、上記第１〜第４の発明を前提とし、取付板に間隔を保って複数の光源を設け、これら各光源を複数の反射カバーで個別に覆ってなる点に特徴を有する。
【発明の効果】
【００１１】
第１〜第６の発明によれば、ＬＥＤを備えた光源の光を、目的のエリアに集中的に導くことができるようになる。このような照明具をショーケースに用いると、目的のエリアに陳列した商品に光を当てて引き立てることができる。また、目的のエリアを狭く設定すれば、スポット照明を当てたように特定の商品を特に目立たせ、消費者の目をその商品に集めることもできる。
そして、特に明るく照らされ引き立てられた商品は、消費者の目にとまり、購買意欲を掻き立てるものとなる。つまり、この発明の照明具をショーケースに用いれば、そこに陳列された商品に対する消費者の購買意欲を高めることができる。
【００１２】
第２の発明によれば、光源から直接反射面に向かう方向から外れた光を、間接反射面を介して直接反射面へ反射させることができる。そのため、光源から出る光を無駄なく目的のエリアへ集中させることができる。
第３の発明では、直接反射面の両側に一対の間接反射面を設けているので、光源から直接反射面に向かう方向から外れた光は、直接反射面の脇の間接反射面に反射しやすく、光源から出た光をより効率的に直接反射面へ導くことができる。その結果、光源の光をより無駄なく、目的のエリアへ導くことができる。
【００１３】
第４の発明では、一つの光源で、光源を挟んで反対方向に位置する二つの目的のエリアを同時に明るく照らすことができる。一つの目的のエリアごとにＬＥＤを備えた光源を用意する場合と比べて、光源の個数を半減できるので部品コストを抑えることができる。
また、一つの光源から出る光は、左右両方向へ広がるので、それを一つの目的のエリアだけに導くようにする場合には、光源から反対方向へ出た光を反射させて一方の側の間接反射面や直接反射面に導かなければならない。このように反対方向へ出た光を戻すようにすると、反射回数が増えてロスが発生してしまう。しかし、光源から両方へ出る光をそのまま、反対方向の反射面で反射させて二つの目的のエリアへ導くようにすれば、光量のロスを少なくできる。言い換えれば、目的のエリアにおいて同じ明るさを得るための光源のパワーを小さくでき、電力の節約にもなる。
【００１４】
第５、第６の発明によれば、取付板を陳列棚の支柱に取り付けることができ、ショーケースに照明具を簡単に取り付けることができる。
第６の発明によれば、複数の光源を一つの取付板で一体的に取り扱うことができる。そのため、複数の目的のエリアに同時に光を導くようにする際の設置も簡単にできる。
また、長くした取付板を陳列棚の支柱として利用することもできる。
【図面の簡単な説明】
【００１５】
【図１】この発明の実施形態の照明具を使用したショーケースの正面図である。
【図２】実施形態の照明具の正面図である。
【図３】実施形態の反射カバーの斜視図である。
【図４】図２のIV-IV線断面図である。
【図５】実施形態の照明具の側面図である。
【図６】遮光フィルムの側面図である。
【図７】実施形態の照明具の使用形態を示す平面図である。
【図８】従来例の照明具の説明図である。
【発明を実施するための形態】
【００１６】
以下に、この発明の実施形態を、図１〜図５を用いて説明する。
図１は、この発明の照明具５を缶入り飲料のショーケースに用いた時のショーケースの正面図である。このショーケースでは、商品を陳列した棚４の支柱６の前面に、複数の照明具５を取付板７を介して取り付けている。
なお、上記前面とは、ショーケースの商品を購入する消費者が位置する側のことで、上記支柱６を境に商品を陳列する棚４と反対側が前面である。
【００１７】
この照明具５は、図２に示すように取付板７に、ビス８によって反射カバー９を取り付けるとともに、この反射カバー９内において上記取付板７にＬＥＤの光源２を設けている。この光源２は、１または複数のＬＥＤチップを備え、図示しない電源回路を介して通電することによって発光するものである。そして、上記光源２から出た光は、ほとんど取付板７に直交する方向に放射されるようにしている。
また、上記取付板７は光源２と反射カバー９とを取り付けるための板部材であるが、この実施形態では、樹脂製の表面層７ａと、光源２の熱を分散させる機能を有する金属製の熱伝導層７ｂと、ショーケースの支柱６に取り付ける取付層７ｃとで構成されている。
【００１８】
そして、上記ＬＥＤの光源２が発光すると、その光は後で詳細に説明する反射面を介して反射カバー９の一対の開口９ａ，９ａから放射され、図１に示す目的のエリアＡ１，Ａ２を集中的に照らすことになる。
なお、この照明具５は、図２に示す中心線Ｌ２に対して線対称に構成されている。そこで、対称位置に構成される各要素には同じ符号を付している。
【００１９】
また、図３は、取付板７を取り除いた反射カバー９のみの斜視図であり、図４は上記中心線Ｌ２と直交する線での断面図、図５は一方の開口９ａ側からの側面図である。
そして、図４は反射カバー９の開口９ａにルーバー１０を取り付けた状態を示しているが、そのほかの図ではルーバー１０を省略している。
なお、上記図４、図５の取付板７をショーケースの支柱６に取り付けた場合、上記各図において取り付け板７の上方が、消費者側となるショーケースの前面側であり、取付板７の下方が目的のエリアＡ１，Ａ２が設定された棚４側となる。つまり、上記目的のエリアＡ１，Ａ２は、光源２から出る光の方向と反対側に位置するエリアである。
【００２０】
次に、反射カバー９について詳細に説明する。
反射カバー９は、取付板７と対向する内側にこの発明の反射面を備えているが、上記したように、この反射カバー９は、上記中心線Ｌ２（図２、図４）に対して線対称の形状をし、内部の反射面も線対称位置に形成されている。そこで、以下では、図２における右側部分から説明する。
【００２１】
図３〜図５に示すように、反射カバー９は、取付板７に取り付けたとき光源２と対向する部分に第１反射面１１を備えている。この第１反射面１１は、この第１反射面１１に上記光源２から直接あるいは間接的に導かれた光を反射して、開口９ａから反射カバー９外の目的のエリアＡ１（図１参照）へ導く角度で設けられている。
また、上記第１反射面１１より開口９ａ側には、第１反射面１１に連続させて第２反射面１２を設けている。この第２反射面は１２は、上記第１反射面１１の連続線よりも取付板７側に傾斜した斜面である。
この第２反射面１２も、この第２反射面１２に上記光源２から直接あるいは間接的に導かれた光を反射して、開口９ａから反射カバー９外の目的のエリアＡ１（図１参照）へ導く角度を保持している。
【００２２】
この実施形態では、上記第１、第２反射面１１，１２は、平面で形成されているので、凹面鏡のように、その反射光が厳密に集光するわけではないが、第１、第２反射面１１，１２による反射光のほとんどが、図４に示す点線の矢印のように反射して、目的のエリアＡ１内に達するように構成している。すなわち、この実施形態では上記第１、第２反射面１１，１２がこの発明の直接反射面である。
【００２３】
また、上記第１反射面１１の両脇には、第１反射面を挟むようにして第３反射面１３と第４反射面１４とを形成し、第２反射面１２の両脇には、第２反射面１２を挟むようにして第５反射面１５と第６反射面１６とが形成している。なお、第５反射面１５は第３反射面１３に連続し、第６反射面１６は第４反射面に連続している。
【００２４】
そして、第３，第４反射面１３，１４は、上記第１反射面１１に対して鋭角に交わる斜面であって、これら第３、第４反射面１３，１４で反射した反射光を第１反射面１１へ導く角度を保持している。
同様に、第５、第６反射面１５，１６は、上記第２反射面１２に対して鋭角に交わる斜面であって、これら第５、第６反射面１５，１６で反射した反射光を第２反射面１２へ導く角度を保持している。
すなわち、上記第３〜第６反射面１３，１４，１５，１６が、反射光を第１反射面へ反射させるこの発明の間接反射面である。
【００２５】
つまり、第１、第２反射面１１，１２からなる直接反射面と、第３〜第６反射面１３〜１６からなる間接反射面とによって、この発明の反射面を構成している。
そして、図５に示す点線の矢印のように、光源２から出た光のうち、間接反射面である上記第３，第４反射面で反射した反射光は第１反射面１１に入射し、第５，第６反射面１５，１６で反射した反射光は第２反射面１２に入射する。
このように第１、第２反射面１１，１２に間接的に入射した光は、上記光源２から第１、第２反射面１１，１２に直接入射した光と同様に、上記目的のエリアＡ１へ導かれることになる。
【００２６】
また、上記反射カバー９の中心線Ｌ２より左側にも、上記した右側と線対称に第１〜第６反射面１１〜１６が形成されている。そして、反射カバー９内の中心には、左右の第１反射面１１，１１がそれぞれ開口９ａ，９ａに向かう角度で隣接して設けられている。
従って、光源２から出た光のうち、中心線Ｌ２より右側の反射面で反射した反射光は右側の開口９ａから一方の目的のエリアＡ１へ導かれ、中心線Ｌ２より左側の反射面で反射した反射光は左側の開口９ａから他方の目的のエリアＡ２へ導かれることになる。このように、中心線Ｌ２の左右それぞれに設けられた反射面が、光源２から出る光束を境に、光源２から出る光を反対方向に分光させる一対の反射面である。
【００２７】
このように、一つの光源２から出る光を、一対の反射面によって互いに反対方向に分光させることができるため、この実施形態の照明具５をショーケースの中間に設けられた支柱６に取り付ければ、図１に示すように一つの光源２で左右両側の目的のエリアＡ１，Ａ２に光を導くことができる。
【００２８】
上記のような照明具５を、ショーケースの支柱６に取り付けると、光源２からは、ショーケースの外に向かう方向の光が発射されるが、その光は上記反射カバー９の反射面で反射して、左右の開口９ａ，９ａからそれぞれの目的エリアＡ１，Ａ２に導かれる。従って、ショーケースでは、上記目的エリアＡ１，Ａ２内に陳列された商品に集中的に光が照射され、その商品を引き立てることができる。
【００２９】
例えば、従来のように光源２から出る光が商品の棚４へ向かう方向に反射部材３（図８参照）を設けた場合には、棚４の前面がうっすらと均等に明るくなるだけで、商品にはほとんど光が照射されず、棚４に陳列された商品を明るく照らすことはできなかった。しかし、この実施形態の照明具５では、直進性に優れたＬＥＤの光源２の光を、反射カバー９内の反射面によって目的のエリアまで導くことができる。そのため、この実施形態の照明具５を用いれば、目的のエリアに陳列した商品に集中的に光を照射して、それを引き立て消費者の購買意欲を掻き立てることもできる。
【００３０】
さらに、この実施形態の照明具５は、一つの光源２によって二つの目的のエリアＡ１，Ａ２に光を照射できるので、目的のエリアごとに光源２を備える場合と比べて部品を節約できる。
但し、ショーケースの中央ではなく、端部の支柱に照明具を設ける場合には、光源２からの光を分光する必要がないので、反射カバー９内に一対の反射面を設ける必要はない。その場合には、図２に示す中心線Ｌ２に対して、左右いずれか一方の部分のみで照明具を構成すればよい。このとき、光源は、上記実施形態の光源２の半分の大きさで足り、反射カバー９も半分で足りる。
【００３１】
また、半分にした反射カバー９の光源２側になる端部を閉鎖部材で閉鎖し、その内側に間接反射面を形成すれば、光源２から出る光をより有効に目的のエリアへ導くことができる。
但し、このように上記照明具５を半分にした照明具を、二つの目的のエリアを照らすために二つ用いるよりも、この実施形態の照明具５を一つだけ用いることで二つの目的のエリアを照らすようにした方が、消費電力を少なくできる。
なぜなら、光源２から出る光は左右両方向に向かうので、そのうち目的のエリアと反対側に向かう光を、一方の目的のエリア側へ導くためには、上記した第１〜第６反射面１１〜１６以外の反射面によって反射させて、上記第１〜第６反射面１１〜１６のいずれかへ導かなければならないからである。
【００３２】
このように光の反射回数が増えると、目的のエリアへ照射される光量にロスが発生してしまい、同じ明るさを得るためには、光源のパワーを上げなければならない。言い換えれば、この実施形態の照明具５のように、光源２から左右両方向に向かって出る光を、同時に反対方向へ導くようにすれば、反射によるロスを減らすころができ、その分光源２の消費電力を節約することもできる。
なお、この実施形態の照明具５は、上記支柱６の前面に開閉可能な引き戸やドアを設けたショーケースや、ドアなどがなく前面が開放されたショーケースのいずれにも適用できる。また、冷蔵機能や保温機能を備えたショーケースにも、これらの機能をもたないショーケースにも、同様に適用できる。
【００３３】
さらに、この実施形態の照明具５には、図４に示すように反射カバー９の両開口９ａ，９ａに、ルーバー１０を取り付けることもできる。このルーバー１０は複数のルーバー板１０ａを備えた筒状部材である。ルーバー板１０ａは反射カバー９内の第１，第２反射面１１，１２から目的のエリアＡ１，Ａ２に向かう以外の光であって、ショーケースの前方へ向かう光を遮断する位置に設けたものである。
【００３４】
この実施形態の照明具５は、反射カバー９によって光源２から出る光を効率的に目的のエリアへ導くように構成されているが、光源２からの光が全て目的のエリアＡ１，Ａ２へ導かれるわけではなく、外部に向かう光もある。このような光は、図４において上方となるショーケースの前面に、商品を取るために矢印Ｂのように近づいてきた消費者の目に、飛び込んでしまうことがある。このような光が消費者の目に飛び込むと大変まぶしいため、消費者に不快な思いをさせてしまうことになるが、上記ルーバー１０を設ければ、そのような問題もない。但し、このようなルーバー１０は、ショーケースに陳列した商品を明るく照らすという目的を達成するために必須の構成ではない。
【００３５】
また、上記各ルーバー板１０ａの角度によって、目に飛び込む光を遮断する位置を調整できる。従って、消費者に不快な思いをさせないためには、上記照明具５を取り付けるショーケースの大きさや照明具５の取り付け位置などによって、ルーバー板１０ａの最適な角度を設定する必要がある。
さらに、ルーバー板１０ａの角度を調整することによって、上記散乱し遮断された光線を目的のエリアへ導くこともできる。その際、上記ルーバー板１０ａの表面を反射率の高い材質で構成すれば、目的のエリアを集中的に照らす光を、より効率的に導くことができる。
【００３６】
また、上記ルーバー１０の代わりに、図６に示す遮光フィルム１７を用いることもできる。この遮光フィルム１７はアクリル樹脂などの光透過率の高い素材で形成したフィルム内に、光を透過する透過部１７ａと光を透過しない遮光部１７ｂとを交互に配置したものである。
このような遮光フィルム１７を上記反射カバー９の開口９ａに取り付けることによって、照明具５全体を大きくすることなく、上記ルーバー１０と同様の効果を得ることができる。
なお、この遮光フィルム１７を用いる場合に、上記遮光部１７ｂの傾斜や、取付面の角度によって遮光する方向を調整できる。
【００３７】
なお、上記実施形態では、一つの取付板７に、一つの光源２と反射カバー９とを設けて照明具５を構成しているが、一つの取付板７に、複数の光源２を設け、各光源２をそれぞれ反射カバー９で覆うようにしてもよい。
複数の光源２及び反射カバー９とを、予めショーケースの複数段の棚４に対応する位置に設けた照明具なら、一つの照明具を支柱に取り付けるだけで、複数段に対応した目的のエリアにそれぞれ光を集中的に照射することができる。
また、取付板７を長く連続させたものにすれば、その取付板７を陳列棚の支柱として利用することも可能である。
【００３８】
また、上記では、照明具５を、取付板７を介して棚４の支柱６の前面に取り付けて使用する例を説明したが、照明具５の取り付け構造はこれに限らない。
例えば、図７に示すように、反射カバー１８において上記取付板７と反対側の面をショーケースのドアが接触する柱１の裏側に取り付けるようにしてもよい。なお、この反射カバー１８は、外形は上記反射カバー９と異なるが、その内側には、上記反射カバー９と同様に第１〜第６反射面１１〜１６を備え、両側の開口１８ａ，１８ａから反射光が出射されるようにしたものである。
なお、この図７において、上方が消費者側となるショーケースの前面である。
要するに、上記照明具５は、光源２から出た光の方向と反対側に棚４の目的のエリアが位置するように、固定できればよい。
【産業上の利用可能性】
【００３９】
この発明の照明具は、前面から商品を取り出したり、眺めたりする様々な形状のショーケースに適応でき、目的のエリアに合わせて反射面を設計することによって、特定の商品を特別に引き立てることができるようになる。
【符号の説明】
【００４０】
Ａ１，Ａ２  目的のエリア
４    棚
５    照明具
７    取付板
９    反射カバー
１１  第１反射面
１２  第２反射面
１３  第３反射面
１４  第４反射面
１５  第５反射面
１６  第６反射面
【図１】
2011171173.tif 000003
【図２】
2011171173.tif 000004
【図３】
2011171173.tif 000005
【図４】
2011171173.tif 000006
【図５】
2011171173.tif 000007
【図６】
2011171173.tif 000008
【図７】
2011171173.tif 000009
【図８】
2011171173.tif 000010